(57)【要約】【課題】騒音を発することなく、しかも能率良く防水層を改修できるようにする。【解決手段】防水下地（１）に固定具（Ａ）を介して取り付けられた導電性ディスク板（２）へ、上方から被覆状態に敷設された防水シート（７）を、その各ディスク板（２）の加熱により接着一体化して成る既設防水層（Ｐ１）の改修方法であって、その既設防水シート（７）を切り抜く第１工程と、防水下地（１）の固定具埋込み孔（６）から既設固定具（Ａ）を抜き取り清掃する第２工程と、既設の上記ディスク板（２）へ防水シート（７）の上方から改修用の導電性ディスク板（Ｄ）を積み重ねる第３工程と、そのディスク板（Ｄ）を固定するために上記固定具埋込み孔（６）へ改修用の固定具（Ｂ）を埋め込む第４工程と、上記ディスク板（Ｄ）へ上方から改修用防水シート（１９）を被覆させる第５工程と、上記ディスク板（Ｄ）を加熱してその表面に改修用防水シート（１９）を接着一体化する第６工程とから成る防水層改修方法である。【選択図】図１７
2019132098.tif 000002
【特許請求の範囲】
【請求項１】
コンクリートやＡＬＣパネルなどの防水下地にホールインアンカーとなる樹脂プラグ付き皿ビスやアンカーボルトなどの固定具を介して、点在分布状態に取り付けられた多数の導電性ディスク板へ、上方から全体的な被覆状態に敷設された防水シートを、その各ディスク板の電磁誘導加熱により接着一体化して成る防水層の改修方法であって、
上記防水下地の固定具埋込み孔から固定具を抜き取るために、その固定具の頭部だけが露出する程度に上記防水層の防水シートを切り抜く第１工程と、
上記固定具を抜き取って、その開口する固定具埋込み孔を清掃する第２工程と、
その後、上記防水層の各ディスク板へその防水シートの上方から改修用の導電性ディスク板を積み重なる状態又は覆い被さる状態に載置する第３工程と、
その改修用の各ディスク板を押え付け固定するために、上記防水下地の固定具埋込み孔へ改修用の固定具を埋め込む第４工程と、
その後、改修用の各ディスク板へ上方から改修用の防水シートを全体的な被覆状態に敷設する第５工程と、
最後に、改修用の各ディスク板を上方から電磁誘導加熱して、その各ディスク板へ改修用の防水シートを接着一体化する第６工程とから成り、
上記改修用の固定具における径大な頭部の押え座面と、改修用の導電性ディスク板における対応的な頭部逃し入れ凹溝の溝底面との係止作用によって、その改修用の固定具を緩み止め状態に保つことを特徴とする防水層の改修方法。
【請求項２】
請求項１記載の防水層改修方法に用いる治具であって、
防水下地から抜き取られた固定具と置換して、その既設防水層における防水シートの切り抜き部から防水下地の固定具埋込み孔へ埋め込まれる改修用の固定具と、
既設防水層の導電性ディスク板へその防水シートの上方から積み重なる状態又は覆い被さる状態に載置される改修用の導電性ディスク板とから成り、
上記改修用の固定具における径大な頭部のフラットな押え座面から複数の凸条を、その全体的な放射対称型として下向きに突設する一方、
上記改修用の導電性ディスク板における対応的な頭部逃し入れ凹溝のフラットな溝底面から、上記固定具側の凸条と係止作用する複数の凸条を上向きに突設したことを特徴とする防水層の改修用治具。
【請求項３】
改修用導電性ディスク板の中央部に陥没する頭部逃し入れ凹溝の周辺部へ、その頭部逃し入れ凹溝と同芯円形の環状凹溝を設けると共に、
その環状凹溝と上記頭部逃し入れ凹溝とが隣り合う内側の境界領域に、複数の第１エヤー抜き凹条をその全体的な放射対称型に形成する一方、
同じく環状凹溝と上記導電性ディスク板の周縁部とが隣り合う外側の境界領域に、複数の第２エヤー抜き凹条を上記第１エヤー抜き凹条と交互する配列の全体的な放射対称型に形成したことを特徴とする請求項２記載の防水層の改修用治具。
【請求項４】
改修用の固定具におけるネジ軸部の太さが、既設防水層の防水下地に埋め込まれていた固定具におけるネジ軸部の太さと実質的に同じであることを特徴とする請求項２記載の防水層の改修用治具。
【請求項５】
コンクリートやＡＬＣパネルなどの防水下地へ点在分布状態に取り付け固定された多数の既設導電性ディスク板と、
その各ディスク板へ上方から接着一体化された既設防水シートと、
上記各ディスク板へその既設防水シートの上方から積み重なる状態又は覆い被さる状態に載置された改修用の導電性ディスク板と、
既設の各ディスク板を取り付けるホールインアンカーとなる樹脂プラグ付きの皿ビスやアンカーボルトなどの固定具の抜き取り後、その防水下地に開口する固定具埋込み孔へ埋め込まれることにより、上記改修用の各ディスク板を押え付け固定する改修用の固定具と、
その改修用の各ディスク板へ上方から接着一体化された改修用の防水シートとから成り、
上記改修用の固定具における径大な頭部の押え座面から全体的な放射対称型として下向きに突出する複数の凸条と、改修用の導電性ディスク板における対応的な頭部逃し入れ凹溝の溝底面から上向きに突出する凸条とが係止し合うことによって、その改修用の固定具を緩み止め状態に保ったことを特徴とする改修防水層。
【請求項６】
改修用の導電性ディスク板を既設の導電性ディスク板よりも径大な寸法として、その既設導電性ディスク板の周縁部を包囲する状態に覆い被せたことを特徴とする請求項５記載の改修防水層。
【発明の詳細な説明】
【技術分野】
【０００１】
本発明は建物における屋上スラブやその他の防水下地へ、点在分布状態に取り付け固定された多数の導電性ディスク板へ、上方から防水シートを接着一体化して成る防水層の改修方法とそのための治具並びに改修防水層に関する。
【背景技術】
【０００２】
コンクリート（ＲＣ）やＡＬＣパネルなどから成る防水下地へ、ドリルによってホールインアンカーとなる樹脂プラグ付きの皿ビスやアンカーボルトなどの埋込み孔を穿設したり、その埋込み上ハンマーで強く叩打したりすることに起因する騒音の発生を防ぐための防水層改修方法が、特許文献１、２に記載されている。
【０００３】
その前者の改修方法では、既設防水シートの固定部をその防水シート用固定金具（導電性ディスク板）の大きさ分だけ切り抜き除去して、その露出した防水シート用固定金具の上面に、ホットメルト接着用シートを配置した状態で、改修（新設）防水シートを敷設し、その上方から上記固定金具を電磁誘導加熱することにより、その固定金具へ改修（新設）防水シートを接着一体化するようになっている。
【０００４】
他方、後者の改修方法では既設防水シートの固定部上で既設防水シート固定具（導電性ディスク板）と対応合致する位置へ、改修（新設）防水シート固定プレートを積み重なる状態に載置し、その防水シート固定プレートと上記既設防水シート固定具とを複数個所において、リベットやタッピングネジなどにより機械的に連結し、上記固定プレートを上方から電磁誘導加熱することにより、その固定プレートへ改修（新設）防水シートを接着一体化するようになっている。
【０００５】
特に、後者の防水層改修方法及び防水構造は、既設防水シート並びにその固定具と、改修（新設）防水シート並びにその固定プレートとが積み重なる点で、本発明に最も近似する公知発明であると考えられる。
【先行技術文献】
【特許文献】
【０００６】
【特許文献１】特許第４６５２５４３号公報
【特許文献２】特許第５３１３８３２号公報
【発明の概要】
【発明が解決しようとする課題】
【０００７】
上記特許文献１、２の防水層改修方法では、何れも既設防水シート用固定金具（導電性ディスク板）（３）の固定ビス（Ｂ）を抜き取らず、その使用状態のままに放置されるため、騒音を発生しないと言えるが、前者の改修方法では既設防水シート（４）における固定部の周縁に切れ目（４ａ）を入れて、その防水シート（４）を固定金具（３）の大きさ分だけ切り抜き除去することが容易ではない。
【０００８】
既設防水シート（４）はその固定金具（３）の上面全体に接着一体化されていて、その接着面積が広いからであり、その接着剤を加熱器により溶融させなければ、既設防水シート（４）を固定金具（３）からすばやく完全に剥ぎ取ることができないのである。
【０００９】
また、その既設防水シート（４）の切り抜き除去（剥ぎ取り）後、固定金具（３）の上面にホットメルト接着用シート（８）を介して、改修（新設）防水シート（９）を敷設するため、その新防水層（Ｐ２）は固定金具（３）の上面位置に限って、改修前の旧防水層（Ｐ１）と同じく、上記防水シート（９）だけの１層となり、これを上方から見た場合、旧防水層（Ｐ１）と識別することができず、その改修（新設）防水シート（９）における固定金具（３）の位置も、一目瞭然に知得できなくなる。
【００１０】
その結果、作業上改修（新設）防水シート（９）の敷設後には、電磁誘導加熱する固定金具（３）の位置を手探ぐりしなければならなくなり、更に言えば加熱し忘れも起ることになるのであるが、その忘れた位置さえも不明になるのである。
【００１１】
他方、後者の特許文献２に記載された改修方法では、既設防水シート（４）の固定金具（３）と改修（新設）防水シート（９）の固定プレート（１０）とが積み重なるため、前者の上記問題を生ずることはないが、その固定金具（３）と固定プレート（１０）との１個づつを点在分布する３個所において、リベット（１１）やこれに代るタッピングネジなどにより、機械的に連結一体化しなければならず、その多数の作業上甚だ煩らわしく重労働になる。
【００１２】
更に、後者の改修方法では既設防水シート（４）の固定金具（３）と、改修（新設）防水シート（９）の固定プレート（１０）とを機械的に連結するために、その固定プレート（１０）の貫通孔（１３）に対応させて、既設防水シート（４）の固定金具（３）にドリルを使って、リベット（１１）の挿通用孔（１６）を穿つ必要があり、その穿孔作業上騒音（金属音）を発することになる。そのリベット（１１）を加締めるリベット専用工具からも、騒音を発生するおそれがある。
【課題を解決するための手段】
【００１３】
本発明はこのような諸問題の改良を目的としており、その目的を達成するために請求項１ではコンクリートやＡＬＣパネルなどの防水下地にホールインアンカーとなる樹脂プラグ付き皿ビスやアンカーボルトなどの固定具を介して、点在分布状態に取り付けられた多数の導電性ディスク板へ、上方から全体的な被覆状態に敷設された防水シートを、その各ディスク板の電磁誘導加熱により接着一体化して成る防水層の改修方法であって、
【００１４】
上記防水下地の固定具埋込み孔から固定具を抜き取るために、その固定具の頭部だけが露出する程度に上記防水層の防水シートを切り抜く第１工程と、
【００１５】
上記固定具を抜き取って、その開口する固定具埋込み孔の内部を清掃する第２工程と、
【００１６】
その後、上記防水層の各ディスク板へその防水シートの上方から改修用の導電性ディスク板を積み重なる状態又は覆い被さる状態に載置する第３工程と、
【００１７】
その改修用の各ディスク板を押え付け固定するために、上記防水下地の固定具埋込み孔へ改修用の固定具を埋め込む第４工程と、
【００１８】
その後、改修用の各ディスク板へ上方から改修用の防水シートを全体的な被覆状態に敷設する第５工程と、
【００１９】
最後に、改修用の各ディスク板を上方から電磁誘導加熱して、その各ディスク板へ改修用の防水シートを接着一体化する第６工程とから成り、
【００２０】
上記改修用の固定具における径大な頭部の押え座面と、改修用の導電性ディスク板における対応的な頭部逃し入れ凹溝の溝底面との係止作用によって、その改修用の固定具を緩み止め状態に保つことを特徴とする。
【００２１】
また、請求項２では請求項１記載の防水層改修方法に用いる治具（改修用具）であって、
【００２２】
防水下地から抜き取られた既設の固定具と交換して、その既設防水層における防水シートの切り抜き部から防水下地の固定具埋込み孔へ埋め込まれる改修用の固定具と、
【００２３】
既設防水層の導電性ディスク板へその防水シートの上方から積み重なる状態又は覆い被さる状態に載置される改修用の導電性ディスク板とから成り、
【００２４】
上記改修用の固定具における径大な頭部のフラットな押え座面から複数の凸条を、その全体的な放射対称型として下向きに突設する一方、
【００２５】
上記改修用の導電性ディスク板における対応的な頭部逃し入れ凹溝のフラットな溝底面から、上記固定具側の凸条と係止作用する複数の凸条を上向きに突設したことを特徴とする。
【００２６】
請求項３では改修用導電性ディスク板の中央部に陥没する頭部逃し入れ凹溝の周辺部へ、その頭部逃し入れ凹溝と同芯円形の環状凹溝を設けると共に、
【００２７】
その環状凹溝と上記頭部逃し入れ凹溝とが隣り合う内側の境界領域に、複数の第１エヤー抜き凹条をその全体的な放射対称型に形成する一方、
【００２８】
同じく環状凹溝と上記導電性ディスク板の周縁部とが隣り合う外側の境界領域に、複数の第２エヤー抜き凹条を上記第１エヤー抜き凹条と交互する配列の全体的な放射対称型に形成したことを特徴とする。
【００２９】
請求項４では改修用の固定具におけるネジ軸部の太さが、既設防水層の防水下地に埋め込まれていた固定具におけるネジ軸部の太さと実質的に同じであることを特徴とする。
【００３０】
請求項５ではコンクリートやＡＬＣパネルなどの防水下地へ点在分布状態に取り付け固定された多数の既設導電性ディスク板と、
【００３１】
その各ディスク板へ上方から接着一体化された既設防水シートと、
【００３２】
上記各ディスク板へその既設防水シートの上方から積み重なる状態又は覆い被さる状態に設置された改修用の導電性ディスク板と、
【００３３】
既設の各ディスク板を取り付けるホールインアンカーとなる樹脂プラグ付きの皿ビスやアンカーボルトなどの固定具の抜き取り後、その防水下地に開口する固定具埋込み孔へ埋め込まれることにより、上記改修用の各ディスク板を押え付け固定する改修用の固定具と、
【００３４】
その改修用の各ディスク板へ上方から接着一体化された改修用の防水シートとから成り、
【００３５】
上記改修用の固定具における径大な頭部の押え座面から全体的な放射対称型として下向きに突出する複数の凸条と、改修用の導電性ディスク板における対応的な頭部逃し入れ凹溝の溝底面から上向きに突出する凸条とが係止し合うことによって、その改修用の固定具を緩み止め状態に保ったことを特徴とする。
【００３６】
更に、請求項６では改修用の導電性ディスク板を既設の導電性ディスク板よりも径大な寸法として、その既設導電性ディスク板の周縁部を包囲する状態に覆い被せたことを特徴とする。
【発明の効果】
【００３７】
請求項１の上記構成によれば、防水層を改修するための新らたな固定具埋込み孔を、防水下地へ穿設加工しておらず、既設防水層の固定具埋込み孔を再利用して、これから既設の固定具を抜き取り後、その埋込み孔の内部を清掃して、その既設固定具に代る改修用の固定具を埋め込むことにより、既設の導電性ディスク板とこれに積み重ねた又は覆い被せた改修用の導電性ディスク板とを一挙に押え付け固定するようになっているので、その改修作業上の騒音や振動を生じるおそれがなく、特に病院やホテル、マンションなどに有効な改修方法であると言える。
【００３８】
しかも、上記改修用固定具における径大な頭部の押え座面と、改修用の導電性ディスク板における対応的な頭部逃し入れ凹溝の溝底面とが係止し合う作用によって、その改修用固定具を緩み止め状態に保つようになっているため、防水下地に開口する既設の固定具埋込み孔を利用する改修方法であっても、その改修用固定具の抜け強度が低下するおそれはない。
【００３９】
また、既設防水層の防水シートやその固定用の既設導電性ディスク板を取り除いて、廃棄処理する必要がなく、その既設防水シートを既設固定具の頭部だけが露出する程度の大きさに切り抜いて、その切り抜き部を通じて、既設固定具の抜き取りとこれに代る改修用固定具の埋め込みを行えば良いので、極めて効率良く軽快に改修できるのであり、その現場作業性に著しく優れる。
【００４０】
その場合、請求項２に記載の改修用治具を使えば、改修用固定具側の下向きに突出する複数の凸条と、改修用導電性ディスク板側の対応的な上向きに突出する複数の凸条とが係止し合う作用により、その改修用固定具の緩み止め状態と延いては抜け強度をますます昂めることができる。
【００４１】
また、請求項３の構成を採用するならば、改修用防水シートの敷設に基いて、これにより被覆される改修用導電性ディスク板の中央部にある頭部逃し入れ凹溝や同じくディスク板の周辺部にある環状凹溝に密封されることとなるエヤー（内圧）を、そのディスク板の第１、２エヤー抜き凹条に沿って放射方向へ円滑・確実に抜くことができ、その結果改修用防水シートをその導電性ディスク板の表面へ、少しも浮上しない完全な張り付け状態に接着一体化し得る効果がある。
【００４２】
更に、請求項４の構成を採用するならば、改修用固定具と既設固定具とは互いに実質上同じ太さのネジ軸部を有するため、防水下地に開口する固定具埋込み孔を拡開させる加工の必要なく、その埋込み孔に改修用固定具を埋め込むことができ、作業上の利便性と騒音や振動の発生防止に役立つ。
【００４３】
他方、請求項５の上記構成によれば、その改修（新設）防水層では既設防水層の防水シート上に改修用の新らしい防水シートが、その改修用の導電性ディスク板を介して積み重なる状態又は覆い被さる状態にあるため、重畳的な防水効果を発揮することができる。
【００４４】
しかも、その改修（新設）防水層における改修用の新らしい固定具と導電性ディスク板とは、その前者の径大な頭部におけるフラットな押え座面から下向きに突出する複数の凸条と、後者の頭部逃し入れ凹溝におけるフラットな溝底面から上向きに突出する複数の凸条とが、互いに係止し得るようになっているため、上記改修（新設）防水層の固定具が緩む方向へ回動するおそれはなく、抜け強度や耐用性が向上する。
【００４５】
その場合、特に請求項６の構成を採用するならば、改修（新設）防水層の新らしい導電性ディスク板が既設防水層の古い導電性ディスク板を、その上方からだけでなく円形周縁部の横方向からも包囲する状態に覆い被さるため、防水効果をますます昂めることができ、電磁誘導加熱器による改修用導電性ディスク板の加熱し忘れを防止し得る効果もある。
【図面の簡単な説明】
【００４６】
【図１】既設防水層の施工状態を示す断面図である。
【図２】樹脂プラグ付きの改修用固定具を示す正面図である。
【図３】図２から樹脂プラグを取りはずした固定具の正面図である。
【図４】上記固定具の頭部を抽出して示す拡大正面図である。
【図５】図４の５−５線断面図である。
【図６】改修用導電性ディスク板を示す正面図である。
【図７】図６の７−７線拡大断面図である。
【図８】凸条同士が係止し合った緩み止め状態を示す断面図である。
【図９】改修用導電性ディスク板の変形実施形態を示す正面図である。
【図１０】図９の１０−１０線拡大断面図である。
【図１１】既設防水層の防水シートを切り開いた状態の断面図である。
【図１２】既設防水層の固定具（皿ビス）を抜き取る工程の断面図である。
【図１３】防水下地の固定具埋込み孔を清掃した状態の断面図である。
【図１４】既設防水層のディスク板へ改修用のディスク板を積み重ねた状態の断面図である。
【図１５】積み重ね状態にあるディスク板同士とその改修用固定具との位置関係を示す断面図である。
【図１６】改修用固定具の埋め込みによる改修用導電性ディスク板の押え付け固定状態を示す断面図である。
【図１７】改修用防水シートの接着一体化された改修（新設）防水層を示す断面図である。
【図１８】改修用導電性ディスク板の変形実施形態を示す図１７に対応する断面図である。
【発明を実施するための形態】
【００４７】
以下、図面に基いて本発明の好適な実施形態を説明する。図１は既設防水層（Ｐ１）の施工状態を示す断面図であり、（１）はその防水下地に相当する建物の屋上コンクリートスラブ、（２）は上記防水下地（１）へ点在分布する割付け状態に取り付け固定された多数の導電性ディスク板であり、その表面には予じめホットメルト接着剤層（３）が積層一体化されている。
【００４８】
また、（Ａ）はその各ディスク板（２）を取り付け固定するための固定具であって、図例のそれはホールインアンカーとなるナイロンなどの樹脂プラグ（４）付き皿ビス（５）から成り、上記防水下地（１）の固定具埋込み孔（６）へ樹脂プラグ（４）を差し込んだ後、その樹脂プラグ（４）に対して皿ビス（５）を強制的にねじ込むことにより、樹脂プラグ（４）を押し広げて、アンカー効果を発揮させているが、上記ディスク板（２）を取り付けることができる固定具（Ａ）であれば、樹脂プラグ（４）を用いないアンカーボルトであっても良い。
【００４９】
そして、多数点在分布する上記導電性ディスク板（２）の上方から防水下地（１）の全体的な被覆状態に敷設された塩化ビニル樹脂シートなどの防水シート（７）が、その各ディスク板（２）の電磁誘導加熱により溶けたホットメルト接着剤層（３）を介して、各ディスク板（２）へ接着一体化されている。
【００５０】
このように施工・形成された既設防水層（Ｐ１）の防水シート（７）は、経年使用中に紫外線や風雨などに晒されて劣化し、切れて漏水しやすくなるため、約１０〜１３年後には改修する必要がある。
【００５１】
図２〜１０はその既設防水層（Ｐ１）の改修のために用いる治具（改修用具）を示しており、（Ｂ）は上記防水下地（１）の固定具埋込み孔（６）から抜き取られた既設防水層（Ｐ１）の固定具（Ａ）と置換して、その防水下地（１）の固定具埋込み孔（６）へ埋め込まれる改修用の新らしい固定具である。
【００５２】
この改修用の固定具（Ｂ）は既設防水層（Ｐ１）の上記固定具（Ａ）におけるネジ軸部（８）の太さと実質的に同じ太さのネジ軸部（９）を備えることにより、上記固定具埋込み孔（６）を少しも拡開せず、その内部を清掃するだけで再利用することができると共に、既設防水層（Ｐ１）の上記樹脂プラグ（４）と同じ太さの新らしい改修用樹脂プラグ（４）を差し込み使用し得るようになっているが、その径大なナベ形頭部（１０）の下面は広くフラットな押え座面（１１）として、後述する改修用の導電性ディスク板を安定良く強固に押え付けることができるようになっている。
【００５３】
しかも、図３〜５から明白なように、その頭部（１０）のフラットな押え座面（１１）からは複数（図例では合計４本）の凸条（１２）が、その全体的な放射対称型（図例では十文字型）として下向きに突設されている。（１３）は同じく頭部（１０）の上面に形成されたハンマードリルやインパクトドリルなどの回転工具用係止切欠である。尚、このような改修用の固定具（Ｂ）はステンレス鋼から製作することが好ましい。
【００５４】
また、（Ｄ）は同じく治具としての新らしい改修用導電性ディスク板であり、既設の上記導電性ディスク板（２）と同じか又はこれよりも若干径小な大きさを有し、その既設導電性ディスク板（２）へ安定良く積み重なる状態に載置できるようになっているが、その円形の中央部は上記改修用固定具（Ｂ）の頭部逃し入れ凹溝（１４）として皿状（倒立截頭円錐形）に陥没されている。
【００５５】
しかも、その頭部逃し入れ凹溝（１４）のフラットな溝底面からは図６、７のように、複数（図例では合計４本）の凸条（１５）がやはり全体的な放射対称型（図例では十文字型）として上向きに突設されており、改修用固定具（Ｂ）側の上記下向き凸条（１２）と改修用導電性ディスク板（Ｄ）側の上向き凸条（１５）とが、その改修用固定具（Ｂ）の埋め込み螺進された（固定具埋込み孔へねじ込まれた）最終時点において、図８のように係止し合うことができる関係にあるため、緩む方向へ回動しない状態に固定維持されることとなる。
【００５６】
その場合、両者の上記凸条（１２）（１５）が直線状に延在せず、その言わば多数から成る全体的な凹凸面の菊座であると、却って滑り合い回動しやすくなるので好ましくない。逆に、その凸条（１２）（１５）の本数が一文字型に並ぶ２本づつとして、少数であり過ぎると、その互いに係止し合うまで大きく緩み回動することになるため、望ましくない。その趣旨から、両者の上記凸条（１２）（１５）としては図例のような十文字型の４本づつ乃至６本づつを採用することが好ましい。
【００５７】
更に、改修用導電性ディスク板（Ｄ）における上記頭部逃し入れ凹溝（１４）の周辺部には、沈下や歪み、その他の不正な変形を防ぐ強度アップのための環状凹溝（１６）が、その頭部逃し入れ凹溝（１４）との同芯円形に陥没されている。
【００５８】
しかも、中央部の頭部逃し入れ凹溝（１４）とその周辺部の環状凹溝（１６）とが隣り合う内側の境界領域には、複数（図例では合計３本）の第１エヤー抜き凹条（１７）がその全体的な放射対称型に列設されている。
【００５９】
但し、図６、７と対応する図９、１０の部分変形実施形態に示す如く、上記第１エヤー抜き凹条（１７）に加えて、上記環状凹溝（１６）と改修用導電性ディスク板（Ｄ）自身の円形周縁部とが隣り合う外側の境界領域にも、複数（図例では合計３本）の第２エヤー抜き凹条（１８）を好ましくは上記第１エヤー抜き凹条（１７）と交互する配列（千鳥配列）の全体的な放射対称型に形成することが良い。
【００６０】
つまり、改修用導電性ディスク板（Ｄ）には上方から改修用の新らしい防水シート（１９）が、被覆状態に敷設されるため、その中央部の上記頭部逃し入れ凹溝（１４）や周辺部の環状凹溝（１６）に封入されてしまうエヤー（内圧）を抜いて、防水シート（１９）を密着状態に張る必要があるところ、そのエヤー（内圧）を上記第１、２エヤー抜き凹条（１７）（１８）に沿って放射方向へすばやく円滑・確実に抜くことができるように定めるのである。（２０）は導電性ディスク板（Ｄ）の中心に開口する固定具挿通孔、（２１）は同じく導電性ディスク板（Ｄ）の表面に予じめ積層一体化されたホットメルト接着剤層又は塩化ビニル樹脂層を示している。
【００６１】
尚、このような改修用の固定具（Ｂ）や導電性ディスク板（Ｄ）の特殊な形状は、図１８から示唆されるように、既設の固定具（Ａ）や導電性ディスク板（２）についても同じとして、採用することが望ましい。
【００６２】
次に、上記治具を用いて行う既設防水層（Ｐ１）の改修方法について説明する。
【００６３】
即ち、その防水層（Ｐ１）の改修に当っては、先ず第１工程として図１の施工状態にある既設防水層（Ｐ１）の防水シート（７）を図１１のように、カッターナイフや好ましくはインパクトドリル用埋木錐（図示省略）などによりカットして、その既設の固定具（Ａ）である皿ビス（５）の頭部だけが露出する程度の大きさ・形状に切り抜く。（２２）はその防水シート（７）の切り抜き部を示している。
【００６４】
その際、上記皿ビス（５）の頭部と対応位置する既設導電性ディスク板（２）の中央部（円錐受け皿面）には、ホットメルト接着剤層（３）が積層一体化されておらず、しかもその狭小面積であるため、冒頭に述べた特許文献１のような加熱器による加熱は不要であり、既設の防水シート（７）をすばやく容易に切り抜き除去することができる。
【００６５】
その防水シート（７）の切り抜きにより上記皿ビス（５）の頭部が露出したならば、引き続く第２工程として図１２のように、上方からインパクトドリル又はハンマードリル（２３）の回転使用により、既設の上記皿ビス（５）をその防水下地（１）の固定具埋込み孔（６）から抜き取ると共に、その内部に残る樹脂プラグ（４）をインパクトドリル又はハンマードリル（２３）などにより粉砕し、その粉塵をエヤーダスター（図示省略）などにより上記固定具埋込み孔（６）から除去して、その内部を図１３のような再利用できる状態に清掃する。
【００６６】
その場合、上記皿ビス（５）を抜き取るためのインパクトドリル又はハンマードリル（２３）は、回転させるだけで良く、防水下地（１）に打撃力を与えない結果、その作業上の騒音や振動を発するおそれはない。
【００６７】
上記第２工程を終えたならば、その抜き取った皿ビス（５）の呼び径や長さをノギスなどの適当な計測器具（図示省略）によって計測すると共に、固定具埋込み孔（６）の深さもノギスなどの計測器具を用いて計測し、改修用として使う固定具（Ｂ）やその樹脂プラグ（４）の仕様（特に長さと太さ）を決めることができるように準備する。
【００６８】
そこで、引き続く第３工程として図１４のように、既設防水層（Ｐ１）の導電性ディスク板（２）へその防水シート（７）の上方から、図６、７や図９、１０に基き説明した改修用の新らしい導電性ディスク板（Ｄ）を、積み重なる状態に載置する。
【００６９】
つまり、既設の導電性ディスク板（２）へ積み重ねることができる大きさの改修用導電性ディスク板（Ｄ）を、その固定具挿通孔（２０）同士が対応合致する同芯状態に保つのである。
【００７０】
この点、図１４に示す改修用導電性ディスク板（Ｄ）の大きさは既設導電性ディスク板（２）よりも若干径小であるが、逆に図１８の変形実施形態に示唆するような既設導電性ディスク板（２）の円形周縁部も包囲できる径大な深い改修用導電性ディスク板（Ｄ）を採用して、これを既設防水層（Ｐ１）の導電性ディスク板（２）へ上方から覆い被せても良い。
【００７１】
何れにしても、その後第４工程として、改修用の上記導電性ディスク板（Ｄ）を上方から押え付け固定するために、既設の固定具（Ａ）である上記皿ビス（５）と同じ太さの改修用固定具（Ｂ）並びに既設の樹脂プラグ（４）と同じ太さの新らしい改修用樹脂プラグ（４）を用いて、これらを既設防水層（Ｐ１）の施工手順と同じく、図１５から図１６のように防水下地（１）の固定具埋込み孔（６）へ埋め込み、その樹脂プラグ（４）によるアンカー効果を達成する。
【００７２】
その場合、改修用固定具（Ｂ）のネジ軸部（９）は既設固定具（Ａ）である上記皿ビス（５）のネジ軸部（８）と実質的に同じ太さであるため、インパクトドリル又はハンマードリル（図示省略）を回転させるだけで、その改修用固定具（Ｂ）を固定具埋込み孔（６）へ埋め込むことができ、固定具埋込み孔（６）を拡開させることはない結果、その穿孔上の騒音や振動を発生しない。
【００７３】
尚、改修用固定具（Ｂ）のネジ軸部（９）は既設固定具（Ａ）のネジ軸部（８）より若干細くても、併せて上記樹脂プラグ（４）を使用すれば、その樹脂プラグ（４）の押し広げられる拡開作用により、防水下地（１）に対する改修用固定具（Ｂ）のアンカー効果が劣ることはない。
【００７４】
また、上記改修用の固定具（Ｂ）が螺進して、その固定具埋込み孔（６）へ図１６のように埋め込み固定された（ねじ込まれた）最終時点では、その固定具（Ｂ）における径大な頭部（１０）のフラットな押え座面（１１）から下向く凸条（１２）と、導電性ディスク板（Ｄ）における頭部逃し入れ凹溝（１４）のフラットな溝底面から上向く凸条（１５）とが、互いに係止し合うことになる関係上、その固定具（Ｂ）を緩み止め状態に固定維持することができ、そのフラットな広い面積において押え付けるようになっているため、防水シート（１９）のバタツキ（フラッタリング）により改修用固定具（Ｂ）が引き抜け力を受けても、これに対する強い抵抗力を発揮することができるのである。
【００７５】
そこで、次に第５工程として図１７のように、改修用導電性ディスク板（Ｄ）の上方から改修用の新らしい防水シート（１９）を、その点在分布するディスク板（Ｄ）の全体的な被覆状態に敷設する。
【００７６】
その状態では改修用導電性ディスク板（Ｄ）における中央部の頭部逃し入れ凹溝（１４）や、更にはその周辺部の環状凹溝（１６）にエヤー（内圧）が密封され、改修用防水シート（１９）の全体的に均一な張り付け状態を保ち難くなるおそれがあるが、その改修用導電性ディスク板（Ｄ）には図９、１０のような第１エヤー抜き凹条（１７）や、好ましくは第２エヤー抜き凹条（１８）も列設されているため、そのエヤー抜き凹条（１７）（１８）によって放射方向へエヤー（内圧）を円滑・確実に抜く（排気する）ことができる。
【００７７】
図１７のような改修用防水シート（１９）の敷設状態のもとで、最後に第６工程として図外の電磁誘導加熱器により、その防水シート（１９）を上方から上記改修用導電性ディスク板（Ｄ）へ押え付け、その加熱器の電磁誘導作用によってディスク板（Ｄ）を発熱させ、その発熱によりホットメルト接着剤層又は塩化ビニル樹脂層（２１）を溶かして、防水シート（１９）をそのディスク板（Ｄ）の表面へ接着一体化するのである。そうすれば、図１７のような改修（新設）防水層（Ｐ２）が完成する。
【００７８】
図１１〜１７の第１〜６工程を順次行う上記防水層（Ｐ１）の改修方法では、防水下地（１）に改修用の新らたな固定具埋込み孔（６）を穿孔しておらず、既設防水層（Ｐ１）の固定具埋込み孔（６）を再利用して、既設固定具（Ａ）と実質的に同じ太さの改修用固定具（Ｂ）を埋め込むことにより、既設の古い導電性ディスク板（２）と改修用の新らしい導電性ディスク板（Ｄ）とを一挙に押え付け固定するようになっているため、その改修作業上の騒音や振動を生じるおそれがない。その結果、病院やホテル、マンションなどに用いて、特に有益な改修方法である。
【００７９】
しかも、既設防水層（Ｐ１）の防水シート（７）やその固定用の既設導電性ディスク板（２）を取り除き、廃棄処理することなく、その既設防水シート（７）を既設固定具（Ａ）の頭部だけが露出する程度の大きさに切り抜くことにより、防水下地（１）の上記固定具埋込み孔（６）へ既設固定具（Ａ）に代る改修用の固定具（Ｂ）を埋め込むことができるため、極めて能率良く軽快に改修工事し得るのであり、施工性に優れる。
【００８０】
上記のように施工された改修（新設）防水層（Ｐ２）は、その図１７と図１との比較から明白なように、上記防水下地（１）へ点在分布状態に取り付け固定された多数の既設導電性ディスク板（２）と、その各ディスク板（２）へ上方から接着一体化された既設防水シート（７）と、同じく各ディスク板（２）へその既設防水シート（７）の上方から積み重なる状態又は覆い被さる状態に設置された改修用の導電性ディスク板（Ｄ）と、既設の各ディスク板（２）を取り付けるホールインアンカーになる樹脂プラグ（４）付きの皿ビス（５）やアンカーボルトなどの固定具（Ａ）の抜き取り後、その既設の固定具（Ａ）と置換して、上記防水下地（１）に開口する固定具埋込み孔（６）へ埋め込まれることにより、上記改修用の各ディスク板（Ｄ）を押え付け固定する改修用の固定具（Ｂ）と、その改修用の各ディスク板（Ｄ）へ上方から接着一体化された改修用の防水シート（１９）とから成り立っている。
【００８１】
つまり、既設防水層（Ｐ１）の防水シート（７）上に改修用の新らしい防水シート（１９）が、改修用の導電性ディスク板（Ｄ）を介して積み重なる状態又は覆い被さる状態にあるため、改修（新設）防水層（Ｐ２）としては二重の防水構造となり、その優れた防水効果を達成することができる。
【００８２】
しかも、その改修用治具をなす改修用の新らしい固定具（Ｂ）と導電性ディスク板（Ｄ）とは、その前者の径大なナベ形頭部（１０）における広くフラットな押え座面（１１）から下向きに突出する複数の凸条（１２）と、後者の対応的な頭部逃し入れ凹溝（１４）のフラットな溝底面から上向きに突出する複数の凸条（１５）とが互いに係止し得るように関係設定されているため、上記改修（新設）防水層（Ｐ２）の固定具（Ｂ）を緩み止め状態と抜け止め状態に固定維持することができ、その耐用性も向上する。
【００８３】
防水下地（１）に既設の固定具埋込み孔（６）を再利用して、その固定具埋込み孔（６）を拡開させる加工を行わず、既設の固定具（Ａ）と実質的に同じ太さの改修用固定具（Ｂ）を、その固定具埋込み孔（６）へ埋め込み使用するにも拘らず、その改修用固定具（Ｂ）の抜け強度が低下するおそれはなく、既設の古い導電性ディスク板（２）と改修用の新らしい導電性ディスク板（Ｄ）とをその積み重なる状態での一挙に強く、安定裡に固定維持し得るのである。
【００８４】
その場合、図１７と対応する図１８の変形実施形態に示す如く、改修（新設）防水層（Ｐ２）の新らしい導電性ディスク板（Ｄ）を既設防水層（Ｐ１）の古い導電性ディスク板（２）よりも径大な円形として、その既設防水層（Ｐ１）へ防水シート（７）の上方から覆い被さる状態に設置するならば、防水効果がますます向上するばかりでなく、その新旧導電性ディスク板（２）（Ｄ）の相違する大きさを言わば目印として、加熱し忘れの事故を起すことも防止することができる。そのため、改修工事上の利便性も得られることになる。
【符号の説明】
【００８５】
（１）・防水下地
（２）・既設導電性ディスク板
（３）・ホットメルト接着剤層
（４）・樹脂プラグ
（５）・皿ビス
（６）・固定具埋込み孔
（７）・既設防水シート
（８）（９）・ネジ軸部
（１０）・頭部
（１１）・押え座面
（１２）（１５）・凸条
（１３）・係止切欠
（１４）・頭部逃し入れ凹溝
（１６）・環状凹溝
（１７）・第１エヤー抜き凹条
（１８）・第２エヤー抜き凹条
（１９）・改修用防水シート
（２０）・固定具挿通孔
（２１）・ホットメルト接着剤層
（２２）・切り開き部
（２３）・インパクトドリル
（Ａ）・既設固定具
（Ｂ）・改修用固定具
（Ｄ）・改修用導電性ディスク板
（Ｐ１）・既設防水層
（Ｐ２）・改修（新設）防水層
【図１】
2019132098.tif 000003
【図２】
2019132098.tif 000004
【図３】
2019132098.tif 000005
【図４】
2019132098.tif 000006
【図５】
2019132098.tif 000007
【図６】
2019132098.tif 000008
【図７】
2019132098.tif 000009
【図８】
2019132098.tif 000010
【図９】
2019132098.tif 000011
【図１０】
2019132098.tif 000012
【図１１】
2019132098.tif 000013
【図１２】
2019132098.tif 000014
【図１３】
2019132098.tif 000015
【図１４】
2019132098.tif 000016
【図１５】
2019132098.tif 000017
【図１６】
2019132098.tif 000018
【図１７】
2019132098.tif 000019
【図１８】
2019132098.tif 000020